(57)【特許請求の範囲】
【請求項１】
物体側から順に配置された正の屈折力を有する第１レンズ群と、負の屈折力を有する第２レンズ群と、正の屈折力を有する第３レンズ群と、正の屈折力を有する第４レンズ群と、負の屈折力を有する第５レンズ群とにより構成されたズームレンズであって、
前記第５レンズ群は、前記物体側から順に配置された、負レンズと、正レンズとにより構成されており、
前記第５レンズ群を構成する前記負レンズと前記正レンズとの間隔をＤb5、前記第５レンズ群の全長をＬ5、前記第２レンズ群の焦点距離をｆ2、前記ズームレンズ全系の広角端における焦点距離をｆwとするとき、
０．０５≦Ｄb5／Ｌ5≦０．４
かつ
−１．６≦ｆ2／ｆw≦−１．３
を満足することを特徴とするズームレンズ。
【請求項２】
前記第５レンズ群の結像倍率をβ5とするとき、
０．９≦β5≦１．４
を満足することを特徴とする請求項１に記載のズームレンズ。
【請求項３】
前記第２レンズ群を光軸に沿って前記物体側から像面側へ移動させることによって広角端から望遠端への変倍を行い、また、前記第４レンズ群を光軸に沿って移動させることによって変倍に伴う像面変動の補正やフォーカシングを行うことを特徴とする請求項１または２に記載のズームレンズ。
【発明の詳細な説明】
【技術分野】
【０００１】
この発明は、デジタルスチルカメラ、ビデオカメラ、監視用カメラなどに搭載するのに最適な、小型、広角、高変倍のズームレンズに関する。
【背景技術】
【０００２】
従来より、４つのレンズ群で構成され、高変倍が可能なズームレンズがよく知られている（たとえば、下記特許文献１〜３を参照。）。
【０００３】
特許文献１〜３に記載のズームレンズは、いずれも、物体側から順に、正、負、正、正の屈折力を有する第１〜第４の各レンズ群が配置されて構成されている。そして、第１レンズ群と第３レンズ群を固定し、第２レンズ群を一方向に移動させて変倍を行い、また、第４レンズ群を前後方向に移動させることによって変倍に伴う像面変動の補正やフォーカシングを行う。
【０００４】
なお、特許文献１に記載のズームレンズの変倍比は１２倍、Ｆナンバは１．８、画角は５８°程度である。また、特許文献２に記載のズームレンズの変倍比は１８倍、Ｆナンバは１．８、画角は６０°程度である。特許文献３に記載のズームレンズの変倍比は２５倍、Ｆナンバは１．６、画角は５８°程度である。
【０００５】
また、５つのレンズ群で構成され、高変倍が可能なズームレンズもよく知られている（たとえば、下記特許文献４〜１１を参照。）。
【０００６】
特許文献４〜８に記載のズームレンズは、いずれも、物体側から順に、正、負、正、正、負の屈折力を有する第１〜第５の各レンズ群が配置されて構成されている。そして、第１レンズ群と第３レンズ群と第５レンズ群を固定し、第２レンズ群を一方向に移動させて変倍を行い、また、第４レンズ群を前後方向に移動させることによって変倍に伴う像面変動の補正やフォーカシングを行う。
【０００７】
なお、特許文献４に記載のズームレンズの変倍比は８倍、Ｆナンバは２．０、画角は５６°程度である。特許文献５に記載のズームレンズの変倍比は１０倍、Ｆナンバは１．８、画角は４７°程度である。特許文献６に記載のズームレンズの変倍比は１０倍、Ｆナンバは１．６、画角は５８°程度である。特許文献７に記載のズームレンズの変倍比は１０倍、Ｆナンバは１．６、画角は５８°程度である。特許文献８に記載のズームレンズの変倍比は１２倍、Ｆナンバは１．８、画角は６３°程度である。ただ、この特許文献８に記載のズームレンズは、第３レンズ群および絞りが変倍に伴い移動するようになっているため、レンズ鏡筒の構成が複雑である。
【０００８】
また、特許文献９〜１１に記載のズームレンズは、いずれも、物体側から順に、正、負、正、負、正の屈折力を有する第１〜第５の各レンズ群が配置されて構成されている。そして、第１レンズ群と第３レンズ群と第５レンズ群を固定し、第２レンズ群を一方向に移動させて変倍を行い、また、第４レンズ群を前後方向に移動させることによって変倍に伴う像面変動の補正やフォーカシングを行う。
【０００９】
なお、特許文献９に記載のズームレンズの変倍比は２０倍、画角は７１°程度である。特許文献１０に記載のズームレンズの変倍比は２４〜３０倍、画角は６３°程度である。特許文献１１に記載のズームレンズの変倍比は５０倍、画角は７０°程度である。この特許文献１１に記載のズームレンズは、全長が高変倍化に伴い長くなっている。
【００１０】
【特許文献１】特許第３３７６１９０号公報
【特許文献２】特開２００３−２９５０６７号公報
【特許文献３】特開２００２−１８２１０９号公報
【特許文献４】特許第２８３２０９２号公報
【特許文献５】特開２００３−２９１４６号公報
【特許文献６】特開２０００−２８４１７３号公報
【特許文献７】特開２０００−１２１９４１号公報
【特許文献８】特許第３２８８４２２号公報
【特許文献９】特許第３４５３００７号公報
【特許文献１０】特開２０００−１８０７２２号公報
【特許文献１１】特開２０００−２３１０５０号公報
【発明の開示】
【発明が解決しようとする課題】
【００１１】
一般に、４群以上のレンズ群で構成されたズームレンズでも、変倍やフォーカシングを２つの可動群で行うようにすれば、レンズ鏡筒の構成を簡略化でき、レンズ系全体を小型化することが可能である。
【００１２】
しかしながら、上記従来のズームレンズでは、画角を６０°よりも大きくしようとすると、前玉径が大きくなり、これに伴いレンズ系の全長も増大する。さらに、変倍比や解像度を上げようとすると、レンズ系の全長が増大するばかりか、望遠端における色収差の発生が顕著になって、十分な解像度が得られなくなる。特に、大口径のズームレンズでは、ペッツバール和が負の領域に偏りすぎて像面湾曲の補正が困難になるのをはじめとして、全変倍域にわたって光学性能を維持することが困難になる。
【００１３】
この発明は、上述した従来技術による問題点を解消するため、全変倍域にわたって高い光学性能を維持し、広角で高変倍が可能なズームレンズを提供することを目的とする。また、高い光学性能を備えた、小型のズームレンズを提供することもこの発明の目的である。
【課題を解決するための手段】
【００１４】
上述した課題を解決し、目的を達成するため、この発明にかかるズームレンズは、物体側から順に配置された正の屈折力を有する第１レンズ群と、負の屈折力を有する第２レンズ群と、正の屈折力を有する第３レンズ群と、正の屈折力を有する第４レンズ群と、負の屈折力を有する第５レンズ群とにより構成されたズームレンズであって、前記第５レンズ群は、前記物体側から順に配置された、負レンズと、正レンズとにより構成されており、前記第５レンズ群を構成する前記負レンズと前記正レンズとの間隔をＤb5、前記第５レンズ群の全長をＬ5、前記第２レンズ群の焦点距離をｆ2、前記ズームレンズ全系の広角端における焦点距離をｆwとするとき、
０．０５≦Ｄb5／Ｌ5≦０．４
かつ
−１．６≦ｆ2／ｆw≦−１．３
を満足することを特徴とする。
【００１５】
この発明によれば、全変倍域にわたって高い光学性能を維持し、広角で高変倍が可能であり、前記第５レンズ群におけるペッツバール和の適正なバランスと、前記第４レンズ群と前記第５レンズ群との間の適正な間隔を維持し、像面湾曲をはじめとする諸収差の良好な補正が可能な小型のズームレンズを提供することができる。
【００１６】
また、前記第５レンズ群の結像倍率をβ5とするとき、
０．９≦β5≦１．４
を満足することを特徴とする。
【００１７】
この発明によれば、諸収差の良好な補正が可能な、小型のズームレンズを提供することができる。
【００１８】
また、前記第２レンズ群を光軸に沿って前記物体側から像面側へ移動させることによって広角端から望遠端への変倍を行い、また、前記第４レンズ群を光軸に沿って移動させることによって変倍に伴う像面変動の補正やフォーカシングを行うことを特徴とする。
【００１９】
この発明によれば、全変倍域にわたって高い光学性能を維持し、広角で高変倍が可能なズームレンズを提供することができる。
【発明の効果】
【００２４】
この発明によれば、全変倍域にわたって諸収差の効果的な補正が可能な高い光学性能を維持し、広角で高変倍が可能なズームレンズを提供することができるという効果を奏する。また、高い光学性能を備えた、小型のズームレンズを提供することができるという効果を奏する。
【発明を実施するための最良の形態】
【００２５】
以下、この発明にかかるズームレンズの好適な実施の形態を詳細に説明する。
【００２６】
この発明の実施の形態にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、を含み構成される。
【００２７】
この実施の形態のズームレンズは、第２レンズ群を光軸に沿って物体側から像面側へ移動させることによって、広角端から望遠端への変倍を行う。また、第４レンズ群を光軸に沿って移動させることによって変倍に伴う像面変動（結像位置）の補正やフォーカシングを行う。なお、第１レンズ群、第３レンズ群、および第５レンズ群は、常時固定されている。
【００２８】
第１レンズ群は、物体側から順に、負レンズ、正レンズ、正レンズ、および正レンズが配置されて構成される。または、物体側から順に、負レンズ、正レンズ、および正レンズが配置されて構成される。
【００２９】
第２レンズ群は、物体側から順に、負レンズ、負レンズ、正レンズ、および負レンズが配置されて構成される。
【００３０】
第３レンズ群は、物体側から順に、正レンズ、正レンズ、および負レンズが配置されて構成される。または、物体側から順に、正レンズ、負レンズが配置されて構成される。この第３レンズ群を構成するレンズのうち、少なくても１枚は両面に非球面を形成する。このようにすることで、球面収差をはじめとする諸収差を良好に補正することができる。
【００３１】
第４レンズ群は、物体側から順に、正レンズ、負レンズが配置されて構成される。この第４レンズ群を構成するレンズのうち、少なくてもいずれか１面に非球面を形成する。このようにすることで、この第４レンズ群を構成するレンズの枚数を少なくすることができるとともに、諸収差の良好な補正も可能になる。また、少ないレンズ枚数で第４レンズ群を構成し第４レンズ群の全長を短くできることで、第４レンズ群の十分な移動量を確保して、変倍に伴う結像位置の補正やフォーカシングを効果的に行うことができる。
【００３２】
第５レンズ群は、物体側から順に、負レンズ、正レンズが配置されて構成される。
【００３３】
この発明は、全変倍域にわたって高い光学性能を維持し、小型、広角で、１４倍程度の高変倍が可能なズームレンズを提供することを目的としている。そこで、かかる目的を達成するため、以下に示すような各種条件を設定している。
【００３４】
まず、第５レンズ群を構成する、負レンズと正レンズとの間隔をＤb5、第５レンズ群の全長をＬ5とするとき、次の条件式を満足することが好ましい。
０．０５≦Ｄb5／Ｌ5≦０．４      ・・・（１）
【００３５】
この条件式（１）は、第５レンズ群を構成する、負レンズと正レンズとの間隔と第５レンズ群の全長との比を規定する式であり、第５レンズ群におけるペッツバール和の適正なバランスと、第４レンズ群と第５レンズ群との間の適正な間隔を維持し、像面湾曲をはじめとする諸収差の良好な補正を実現するための条件を示すものである。この条件は、比較的口径の広いズームレンズの広角化、高変倍化を達成するためには、ぜひとも必要な条件となる。Ｄb5／Ｌ5の値が０．０５未満になると、第５レンズ群におけるペッツバール和が負に偏りすぎて、特に像面湾曲の補正が困難になる。一方、Ｄb5／Ｌ5の値が０．４を超えると、第４レンズ群と第５レンズ群との間隔が狭くなりすぎ、諸収差の良好な補正が困難になる。
【００３６】
また、この実施の形態のズームレンズは、第２レンズ群の焦点距離をｆ2、ズームレンズ全系の広角端における焦点距離をｆwとするとき、次の条件式を満足することが好ましい。
−１．６≦ｆ2／ｆw≦−１．１      ・・・（２）
【００３７】
この条件式（２）は、第２レンズ群の焦点距離とズームレンズ全系の広角端における焦点距離との比を規定する式であり、第２レンズ群の変倍時における移動量を少なくしてズームレンズ全長の短縮化を達成するとともに、第２レンズ群の屈折力の適正化を図って諸収差の良好な補正を実現するための条件を示すものである。この条件は、比較的口径の広いズームレンズの小型化、広角化、高変倍化を達成するために必要な条件の一つである。ｆ2／ｆwの値が−１．６未満になると、第２レンズ群の変倍時における移動量が増え、ズームレンズ全長が増大するため、好ましくない。一方、ｆ2／ｆwの値が−１．１を超えると、第２レンズ群の屈折力が強くなりすぎて、諸収差の補正が困難になる。
【００３８】
さらに、この実施の形態のズームレンズは、第５レンズ群の結像倍率をβ5とするとき、次の条件式を満足することが好ましい。
０．９≦β5≦１．４      ・・・（３）
【００３９】
この条件式（３）は、第５レンズ群の結像倍率を規定する式であり、第５レンズ群の結像倍率の適正化を図って、ズームレンズ全長の短縮化と、色収差をはじめとする諸収差の良好な補正を実現するための条件を示すものである。この条件も、比較的口径の広いズームレンズの小型化、広角化、高変倍化を達成するために必要な条件の一つである。β5の値が０．９未満になると、ズームレンズ全長が増大するため、好ましくない。一方、β5の値が１．４を超えると、特に色収差の補正が困難になる。
【００４０】
この実施の形態にかかるズームレンズは、上記条件式（１）または上記条件式（２），（３）を満足することで、各条件式に特有の効果を奏し、デジタルスチルカメラ、ビデオカメラ、監視用カメラなどに搭載するのに最適な、高い光学性能を備えたズームレンズになる。特に、従来、広角、高変倍のズームレンズで問題となっていた収差補正の困難性が克服できる。
【００４１】
さらに、上記条件式（１）〜（３）をすべて満足すれば、全変倍域にわたって諸収差の効果的な補正が可能な高い光学性能を維持し、小型、広角で高変倍が可能なズームレンズを提供することができる。
【００４２】
なお、上記条件式（１）〜（３）で示された各数値の範囲は、当該数値の近傍値であれば、この発明で期待される効果は得られる。
【実施例】
【００４３】
以下、この発明にかかるズームレンズの実施例を示す。
【００４４】
（実施例１）
図１は、実施例１にかかるズームレンズの構成を示す光軸に沿う断面図である。このズームレンズは、図示しない物体側から順に、正の屈折力を有する第１レンズ群１１０、負の屈折力を有する第２レンズ群１２０、正の屈折力を有する第３レンズ群１３０、正の屈折力を有する第４レンズ群１４０、および負の屈折力を有する第５レンズ群１５０が配置されて構成される。また、第２レンズ群１２０と第３レンズ群１３０との間には、絞り１６０が配置されている。第５レンズ群１５０と像面１７０との間には、カバーガラス（または光学フィルタ）１８０が配置されている。なお、このカバーガラス１８０は、必要に応じて配置されるものであり、場合によっては省略することも可能である。
【００４５】
第１レンズ群１１０は、物体側から順に、負レンズ１１１、正レンズ１１２、正レンズ１１３、および正レンズ１１４が配置されて構成される。負レンズ１１１と正レンズ１１２は、接合されている。
【００４６】
第２レンズ群１２０は、物体側から順に、負レンズ１２１、負レンズ１２２、正レンズ１２３、および負レンズ１２４が配置されて構成される。正レンズ１２３と負レンズ１２４は、接合されている。
【００４７】
第３レンズ群１３０は、物体側から順に、正レンズ１３１、正レンズ１３２、および負レンズ１３３が配置されて構成される。正レンズ１３１の両面には、非球面が形成されている。
【００４８】
第４レンズ群１４０は、物体側から順に、正レンズ１４１、負レンズ１４２が配置されて構成される。また、正レンズ１４１の物体側面には、非球面が形成されている。なお、この非球面が形成された正レンズ１４１は、ガラスモールドレンズで構成されている。
【００４９】
第５レンズ群１５０は、物体側から順に、負レンズ１５１、正レンズ１５２が配置されて構成される。
【００５０】
このズームレンズは、第２レンズ群１２０を光軸に沿って物体側から像面１７０側へ移動させることによって、広角端から望遠端への変倍を行う。また、第４レンズ群１４０を光軸に沿って移動させることによって変倍に伴う像面変動（結像位置）の補正やフォーカシングを行う。第１レンズ群１１０、第３レンズ群１３０、および第５レンズ群１５０は、常時固定されている。
【００５１】
以下、実施例１にかかるズームレンズに関する各種数値データを示す。
【００５２】
ズームレンズ全系の広角端における焦点距離（ｆw）＝4.60
ズームレンズ全系の中間における焦点距離＝16.87
ズームレンズ全系の望遠端における焦点距離＝62.2
Ｆナンバ＝1.66（広角端）〜2.08（中間）〜2.33（望遠端）
画角（２ω）＝70.6°（広角端）〜19.3°（中間）〜5.3°（望遠端）
【００５３】
（条件式（１）に関する数値）
第５レンズ群１５０を構成する、負レンズ１５１と正レンズ１５２との間隔（Ｄb5）＝0.4
第５レンズ群１５０の全長（Ｌ5）＝3.1
Ｄb5／Ｌ5＝0.13
【００５４】
（条件式（２）に関する数値）
第２レンズ群１２０の焦点距離（ｆ2）＝-6.17
ｆ2／ｆw＝-1.34
【００５５】
（条件式（３）に関する数値）
第５レンズ群１５０の結像倍率（β5）＝1.13
【００５６】
ｒ1＝252.4182
ｄ1＝1.00    ｎｄ1＝1.84666    νｄ1＝23.8
ｒ2＝47.3923
ｄ2＝6.50    ｎｄ2＝1.48749    νｄ2＝70.2
ｒ3＝-102.9460
ｄ3＝0.15
ｒ4＝38.5537
ｄ4＝4.00    ｎｄ3＝1.58913    νｄ3＝61.2
ｒ5＝278.4852
ｄ5＝0.15
ｒ6＝29.1675
ｄ6＝3.20    ｎｄ4＝1.69680    νｄ4＝55.5
ｒ7＝69.8344
ｄ7＝0.8739(広角端)〜14.7369(中間)〜22.7962（望遠端）
ｒ8＝-134.3510
ｄ8＝0.70    ｎｄ5＝1.88300    νｄ5＝40.8
ｒ9＝7.7096
ｄ9＝2.80
ｒ10＝-16.5138
ｄ10＝0.60    ｎｄ6＝1.88300    νｄ6＝40.8
ｒ11＝34.3657
ｄ11＝0.25
ｒ12＝17.1493
ｄ12＝2.50    ｎｄ7＝1.92286    νｄ7＝20.9
ｒ13＝-19.0534
ｄ13＝0.60    ｎｄ8＝1.83481    νｄ8＝42.7
ｒ14＝74.3717
ｄ14＝23.5872(広角端)〜9.7242(中間)〜1.6649（望遠端）
ｒ15＝∞（絞り）
ｄ15＝0.80
ｒ16＝14.3182（非球面）
ｄ16＝2.80    ｎｄ9＝1.74320    νｄ9＝49.3
ｒ17＝-118.0018（非球面）
ｄ17＝0.15
ｒ18＝30.3041
ｄ18＝1.71    ｎｄ10＝1.63854    νｄ10＝55.4
ｒ19＝409.5484
ｄ19＝0.15
ｒ20＝23.9620
ｄ20＝1.19    ｎｄ11＝1.92286    νｄ11＝20.9
ｒ21＝11.5717
ｄ21＝7.9172(広角端)〜4.2287(中間)〜6.6120（望遠端）
ｒ22＝12.9696（非球面）
ｄ22＝3.50    ｎｄ12＝1.58313    νｄ12＝59.4
ｒ23＝-11.5841
ｄ23＝0.30
ｒ24＝-10.6054
ｄ24＝0.60    ｎｄ13＝1.84666    νｄ13＝23.8
ｒ25＝-16.9969
ｄ25＝1.2860(広角端)〜4.9745(中間)〜2.5912（望遠端）
ｒ26＝20.4709
ｄ26＝0.60    ｎｄ14＝1.85026    νｄ14＝32.4
ｒ27＝7.0802
ｄ27＝0.40
ｒ28＝10.6829
ｄ28＝2.10    ｎｄ15＝1.54072    νｄ15＝47.2
ｒ29＝-38.5086
ｄ29＝1.0
ｒ30＝∞
ｄ30＝2.70    ｎｄ16＝1.51633    νｄ16＝64.2
ｒ31＝∞
ｄ31＝4.43
【００５７】
非球面係数（ａ，ｂ，ｃ，ｄ，ｅ）
（第１６面）
ａ＝0
ｂ＝7.37798×10-6，  ｃ＝-6.93167×10-6，
ｄ＝2.42230×10-7，  ｅ＝-2.73046×10-9
（第１７面）
ａ＝0
ｂ＝1.00338×10-4，  ｃ＝-7.85216×10-6，
ｄ＝2.94763×10-7，  ｅ＝-3.51256×10-9
（第２２面）
ａ＝0
ｂ＝-6.53853×10-5，  ｃ＝-1.20580×10-6，
ｄ＝7.11397×10-8，  ｅ＝-8.77324×10-10
【００５８】
また、図２は、実施例１にかかるズームレンズの広角端における収差図である。図３は、実施例１にかかるズームレンズの中間における収差図である。図４は、実施例１にかかるズームレンズの望遠端における収差図である。
【００５９】
（実施例２）
図５は、実施例２にかかるズームレンズの構成を示す光軸に沿う断面図である。このズームレンズは、図示しない物体側から順に、正の屈折力を有する第１レンズ群２１０、負の屈折力を有する第２レンズ群２２０、正の屈折力を有する第３レンズ群２３０、正の屈折力を有する第４レンズ群２４０、および負の屈折力を有する第５レンズ群２５０が配置されて構成される。また、第２レンズ群２２０と第３レンズ群２３０との間には、絞り２６０が配置されている。第５レンズ群２５０と像面２７０との間には、カバーガラス（または光学フィルタ）２８０が配置されている。なお、このカバーガラス２８０は、必要に応じて配置されるものであり、場合によっては省略することも可能である。
【００６０】
第１レンズ群２１０は、物体側から順に、負レンズ２１１、正レンズ２１２、正レンズ２１３、および正レンズ２１４が配置されて構成される。負レンズ２１１と正レンズ２１２は、接合されている。
【００６１】
第２レンズ群２２０は、物体側から順に、負レンズ２２１、負レンズ２２２、正レンズ２２３、および負レンズ２２４が配置されて構成される。正レンズ２２３と負レンズ２２４は、接合されている。
【００６２】
第３レンズ群２３０は、物体側から順に、正レンズ２３１、正レンズ２３２、および負レンズ２３３が配置されて構成される。正レンズ２３２と負レンズ２３３は、接合されている。また、正レンズ２３１の両面には、非球面が形成されている。
【００６３】
第４レンズ群２４０は、物体側から順に、正レンズ２４１、負レンズ２４２が配置されて構成される。正レンズ２４１と負レンズ２４２は、接合されている。また、正レンズ２４１の物体側面には、非球面が形成されている。なお、この非球面が形成された正レンズ２４１は、樹脂とガラスのハイブリッドレンズで構成されている。
【００６４】
第５レンズ群２５０は、物体側から順に、負レンズ２５１、正レンズ２５２が配置されて構成される。
【００６５】
このズームレンズは、第２レンズ群２２０を光軸に沿って物体側から像面２７０側へ移動させることによって、広角端から望遠端への変倍を行う。また、第４レンズ群２４０を光軸に沿って移動させることによって変倍に伴う像面変動（結像位置）の補正やフォーカシングを行う。第１レンズ群２１０、第３レンズ群２３０、および第５レンズ群２５０は、常時固定されている。
【００６６】
以下、実施例２にかかるズームレンズに関する各種数値データを示す。
【００６７】
ズームレンズ全系の広角端における焦点距離（ｆw）＝4.57
ズームレンズ全系の中間における焦点距離＝16.70
ズームレンズ全系の望遠端における焦点距離＝62.3
Ｆナンバ＝1.66（広角端）〜1.98（中間）〜2.33（望遠端）
画角（２ω）＝71.3°（広角端）〜19.4°（中間）〜5.2°（望遠端）
【００６８】
（条件式（１）に関する数値）
第５レンズ群２５０を構成する、負レンズ２５１と正レンズ２５２との間隔（Ｄb5）＝0.5
第５レンズ群２５０の全長（Ｌ5）＝3.3
Ｄb5／Ｌ5＝0.15
【００６９】
（条件式（２）に関する数値）
第２レンズ群２２０の焦点距離（ｆ2）＝-6.30
ｆ2／ｆw＝-1.38
【００７０】
（条件式（３）に関する数値）
第５レンズ群２５０の結像倍率（β5）＝1.09
【００７１】
ｒ1＝240.6085
ｄ1＝1.00    ｎｄ1＝1.84666    νｄ1＝23.8
ｒ2＝42.7635
ｄ2＝6.00    ｎｄ2＝1.51633    νｄ2＝64.2
ｒ3＝-129.7440
ｄ3＝0.15
ｒ4＝42.4797
ｄ4＝3.50    ｎｄ3＝1.58913    νｄ3＝61.2
ｒ5＝334.7969
ｄ5＝0.15
ｒ6＝32.1700
ｄ6＝3.00    ｎｄ4＝1.77250    νｄ4＝49.6
ｒ7＝92.7349
ｄ7＝0.9398(広角端)〜14.9556(中間)〜23.3299（望遠端）
ｒ8＝-145.3590
ｄ8＝0.70    ｎｄ5＝1.88300    νｄ5＝40.8
ｒ9＝8.0360
ｄ9＝3.10
ｒ10＝-17.2075
ｄ10＝0.60    ｎｄ6＝1.88300    νｄ6＝40.8
ｒ11＝86.9810
ｄ11＝0.25
ｒ12＝16.5538
ｄ12＝2.50    ｎｄ7＝1.92286    νｄ7＝20.9
ｒ13＝-23.9929
ｄ13＝0.60    ｎｄ8＝1.83481    νｄ8＝42.7
ｒ14＝30.0254
ｄ14＝24.026(広角端)〜10.0102(中間)〜1.6359（望遠端）
ｒ15＝∞（絞り）
ｄ15＝0.80
ｒ16＝14.8186（非球面）
ｄ16＝2.60    ｎｄ9＝1.69350    νｄ9＝53.2
ｒ17＝-43.0556（非球面）
ｄ17＝0.15
ｒ18＝17.4715
ｄ18＝1.70    ｎｄ10＝1.58913    νｄ10＝61.2
ｒ19＝31.3190
ｄ19＝1.40    ｎｄ11＝1.80518    νｄ11＝25.4
ｒ20＝11.6779
ｄ20＝7.6881(広角端)〜3.7699(中間)〜6.3715（望遠端）
ｒ21＝15.4941（非球面）
ｄ21＝0.20    ｎｄ12＝1.53610    νｄ12＝41.2
ｒ22＝14.4529
ｄ22＝3.70    ｎｄ13＝1.63854    νｄ13＝55.4
ｒ23＝-11.2880
ｄ23＝0.60    ｎｄ14＝1.84666    νｄ14＝23.8
ｒ24＝-20.4866
ｄ24＝1.2111(広角端)〜5.1293(中間)〜2.5277（望遠端）
ｒ25＝18.7066
ｄ25＝0.70    ｎｄ15＝1.85026    νｄ15＝32.4
ｒ26＝7.2275
ｄ26＝0.50
ｒ27＝11.6850
ｄ27＝2.10    ｎｄ15＝1.56883    νｄ16＝56.3
ｒ28＝-40.7369
ｄ28＝1.0
ｒ29＝∞
ｄ29＝2.80    ｎｄ16＝1.51633    νｄ16＝64.2
ｒ30＝∞
ｄ30＝4.65
【００７２】
非球面係数（ａ，ｂ，ｃ，ｄ，ｅ）
（第１６面）
ａ＝0
ｂ＝1.28275×10-5，  ｃ＝-7.11250×10-6，
ｄ＝2.53389×10-7，  ｅ＝-3.09451×10-9
（第１７面）
ａ＝0
ｂ＝1.01539×10-4，  ｃ＝-7.63284×10-6，
ｄ＝2.84956×10-7，  ｅ＝-3.60960×10-9
（第２１面）
ａ＝0
ｂ＝7.40159×10-5，  ｃ＝-8.75911×10-7，
ｄ＝6.37700×10-8，  ｅ＝-1.27290×10-9
【００７３】
また、図６は、実施例２にかかるズームレンズの広角端における収差図である。図７は、実施例２にかかるズームレンズの中間における収差図である。図８は、実施例２にかかるズームレンズの望遠端における収差図である。
【００７４】
（実施例３）
図９は、実施例３にかかるズームレンズの構成を示す光軸に沿う断面図である。このズームレンズは、図示しない物体側から順に、正の屈折力を有する第１レンズ群３１０、負の屈折力を有する第２レンズ群３２０、正の屈折力を有する第３レンズ群３３０、正の屈折力を有する第４レンズ群３４０、および負の屈折力を有する第５レンズ群３５０が配置されて構成される。また、第２レンズ群３２０と第３レンズ群３３０との間には、絞り３６０が配置されている。第５レンズ群３５０と像面３７０との間には、カバーガラス（または光学フィルタ）３８０が配置されている。なお、このカバーガラス３８０は、必要に応じて配置されるものであり、場合によっては省略することも可能である。
【００７５】
第１レンズ群３１０は、物体側から順に、負レンズ３１１、正レンズ３１２、および正レンズ３１３が配置されて構成される。負レンズ３１１と正レンズ３１２は、接合されている。
【００７６】
第２レンズ群３２０は、物体側から順に、負レンズ３２１、負レンズ３２２、正レンズ３２３、および負レンズ３２４が配置されて構成される。正レンズ３２３と負レンズ３２４は、接合されている。
【００７７】
第３レンズ群３３０は、物体側から順に、正レンズ３３１、負レンズ３３２が配置されて構成される。正レンズ２３１の両面には、非球面が形成されている。
【００７８】
第４レンズ群３４０は、物体側から順に、正レンズ３４１、負レンズ３４２が配置されて構成される。正レンズ３４１と負レンズ３４２は、接合されている。また、正レンズ３４１の物体側面には、非球面が形成されている。なお、この非球面が形成された正レンズ３４１は、ガラスモールドレンズで構成されている。
【００７９】
第５レンズ群３５０は、物体側から順に、負レンズ３５１、正レンズ３５２が配置されて構成される。
【００８０】
このズームレンズは、第２レンズ群３２０を光軸に沿って物体側から像面３７０側へ移動させることによって、広角端から望遠端への変倍を行う。また、第４レンズ群３４０を光軸に沿って移動させることによって変倍に伴う像面変動（結像位置）の補正やフォーカシングを行う。第１レンズ群３１０、第３レンズ群３３０、および第５レンズ群３５０は、常時固定されている。
【００８１】
以下、実施例３にかかるズームレンズに関する各種数値データを示す。
【００８２】
ズームレンズ全系の広角端における焦点距離（ｆw）＝3.49
ズームレンズ全系の中間における焦点距離＝20.09
ズームレンズ全系の望遠端における焦点距離＝121.0
Ｆナンバ＝1.66（広角端）〜2.41（中間）〜4.50（望遠端）
画角（２ω）＝71.2°（広角端）〜12.42°（中間）〜2.02°（望遠端）
【００８３】
（条件式（１）に関する数値）
第５レンズ群３５０を構成する、負レンズ３５１と正レンズ３５２との間隔（Ｄb5）＝0.4
第５レンズ群３５０の全長（Ｌ5）＝3.1
Ｄb5／Ｌ5＝0.13
【００８４】
（条件式（２）に関する数値）
第２レンズ群３２０の焦点距離（ｆ2）＝-4.55
ｆ2／ｆw＝-1.30
【００８５】
（条件式（３）に関する数値）
第５レンズ群３５０の結像倍率（β5）＝1.18
【００８６】
ｒ1＝50.8965
ｄ1＝1.00    ｎｄ1＝1.92286    νｄ1＝20.9
ｒ2＝30.2122
ｄ2＝6.60    ｎｄ2＝1.49700    νｄ2＝81.6
ｒ3＝-123.7679
ｄ3＝0.15
ｒ4＝26.7406
ｄ4＝3.40    ｎｄ3＝1.80400    νｄ3＝46.6
ｒ5＝77.7303
ｄ5＝0.8952(広角端)〜17.7112(中間)〜25.5039（望遠端）
ｒ6＝507.1757
ｄ6＝0.70    ｎｄ4＝1.88300    νｄ4＝40.8
ｒ7＝7.9834
ｄ7＝2.60
ｒ8＝-11.6272
ｄ8＝0.60    ｎｄ5＝1.88300    νｄ5＝40.8
ｒ9＝27.6072
ｄ9＝0.15
ｒ10＝14.3943
ｄ10＝2.80    ｎｄ6＝1.84666    νｄ6＝23.8
ｒ11＝-6.7783
ｄ11＝0.50    ｎｄ7＝1.88300    νｄ7＝40.8
ｒ12＝34.6264
ｄ12＝26.3333(広角端)〜9.5173(中間)〜1.7246（望遠端）
ｒ13＝∞（絞り）
ｄ13＝0.80
ｒ14＝10.6043（非球面）
ｄ14＝3.40    ｎｄ8＝1.69350    νｄ8＝53.2
ｒ15＝-67.4183（非球面）
ｄ15＝0.60
ｒ16＝14.3548
ｄ16＝1.00    ｎｄ9＝1.92286    νｄ9＝20.9
ｒ17＝8.6264
ｄ17＝10.1015(広角端)〜4.2337(中間)〜11.8827（望遠端）
ｒ18＝11.4846（非球面）
ｄ18＝3.00    ｎｄ10＝1.58313    νｄ10＝59.4
ｒ19＝-12.3299
ｄ19＝0.50    ｎｄ11＝1.84666    νｄ11＝23.8
ｒ20＝-20.6074
ｄ20＝2.4910(広角端)〜8.3588(中間)〜0.7098（望遠端）
ｒ21＝29.9451
ｄ21＝0.60    ｎｄ12＝1.83481    νｄ12＝42.7
ｒ22＝6.5016
ｄ22＝0.40
ｒ23＝10.6401
ｄ23＝2.10    ｎｄ13＝1.54072    νｄ13＝47.2
ｒ24＝-17.1000
ｄ24＝1.00
ｒ25＝∞
ｄ25＝2.70    ｎｄ14＝1.51633    νｄ14＝64.2
ｒ26＝∞
ｄ26＝4.00
【００８７】
非球面係数（ａ，ｂ，ｃ，ｄ，ｅ）
（第１４面）
ａ＝0
ｂ＝-3.62329×10-5，  ｃ＝-7.40255×10-6，
ｄ＝2.06341×10-7，  ｅ＝-1.99690×10-9
（第１５面）
ａ＝0
ｂ＝9.73253×10-5，  ｃ＝-8.56192×10-6，
ｄ＝2.85949×10-7，  ｅ＝-3.01978×10-9
（第１８面）
ａ＝0
ｂ＝-1.13300×10-4，  ｃ＝-1.99902×10-6，
ｄ＝8.14083×10-8，  ｅ＝-7.86505×10-10
【００８８】
また、図１０は、実施例３にかかるズームレンズの広角端における収差図である。図１１は、実施例３にかかるズームレンズの中間における収差図である。図１２は、実施例３にかかるズームレンズの望遠端における収差図である。
【００８９】
なお、上記数値データにおいて、ｒ1，ｒ2，・・・・は各レンズ、絞り面などの曲率半径、ｄ1，ｄ2，・・・・は各レンズ、絞りなどの肉厚またはそれらの面間隔、ｎｄ1，ｎｄ2，・・・・は各レンズなどのｄ線における屈折率、νｄ1，νｄ2，・・・・は各レンズなどのｄ線におけるアッベ数を示している。
【００９０】
また、上記各非球面形状は、光軸方向にＸ軸、光軸と垂直方向にＹ軸をとり、光の進行方向を正とするとき、以下に示す式により表される。
【００９１】
【数１】
0004823684.tif 000002
【００９２】
ただし、ｒは近軸曲率半径、ａ，ｂ，ｃ，ｄ，ｅはそれぞれ２次，４次，６次，８次，１０次の非球面係数である。
【００９３】
以上説明したように、上記各実施例のズームレンズによれば、上記条件式を満足することで、全変倍域にわたって良好な収差補正がなされるとともに、小型化、高変倍化（１４倍程度）、広角化（７１°程度）を達成することができる。
【００９４】
また、上記各実施例のズームレンズは、非球面が形成されたレンズを含んで構成されているため、少ないレンズ枚数で、諸収差を良好に補正することができる。
【産業上の利用可能性】
【００９５】
以上のように、この発明のズームレンズは、小型化、高変倍化、広角化が求められる、デジタルスチルカメラ、ビデオカメラ、監視用カメラなどに有用であり、特に、高い光学性能が要求される場合に最適である。
【図面の簡単な説明】
【００９６】
【図１】実施例１にかかるズームレンズの構成を示す光軸に沿う断面図である。
【図２】実施例１にかかるズームレンズの広角端における収差図である。
【図３】実施例１にかかるズームレンズの中間における収差図である。
【図４】実施例１にかかるズームレンズの望遠端における収差図である。
【図５】実施例２にかかるズームレンズの構成を示す光軸に沿う断面図である。
【図６】実施例２にかかるズームレンズの広角端における収差図である。
【図７】実施例２にかかるズームレンズの中間における収差図である。
【図８】実施例２にかかるズームレンズの望遠端における収差図である。
【図９】実施例３にかかるズームレンズの構成を示す光軸に沿う断面図である。
【図１０】実施例３にかかるズームレンズの広角端における収差図である。
【図１１】実施例３にかかるズームレンズの中間における収差図である。
【図１２】実施例３にかかるズームレンズの望遠端における収差図である。
【符号の説明】
【００９７】
１１０，２１０，３１０  第１レンズ群
１１１，１２１，１２２，１２４，１３３，１４２，１５１，２１１，２２１，２２２，２２４，２３３，２４２，２５１，３１１，３２１，３２２，３２４，３３２，３４２，３５１  負レンズ
１１２，１１３，１１４，１２３，１３１，１３２，１４１，１５２，２１２，２１３，２１４，２２３，２３１，２３２，２４１，２５２，３１２，３１３，３２３，３３１，３４１，３５２  正レンズ
１２０，２２０，３２０  第２レンズ群
１３０，２３０，３３０  第３レンズ群
１４０，２４０，３４０  第４レンズ群
１５０，２５０，３５０  第５レンズ群
１６０，２６０，３６０  絞り
１７０，２７０，３７０  像面
１８０，２８０，３８０  カバーガラス
【図１】
0004823684.tif 000003
【図２】
0004823684.tif 000004
【図３】
0004823684.tif 000005
【図４】
0004823684.tif 000006
【図５】
0004823684.tif 000007
【図６】
0004823684.tif 000008
【図７】
0004823684.tif 000009
【図８】
0004823684.tif 000010
【図９】
0004823684.tif 000011
【図１０】
0004823684.tif 000012
【図１１】
0004823684.tif 000013
【図１２】
0004823684.tif 000014